(57)【要約】      （修正有）【課題】Ｄ２Ｄユーザ機器に対してＤ２Ｄ通信リソースを割り当てる方法を提供する。【解決手段】基地局は、Ｄ２Ｄ通信用リソースとして、基地局への上りリンク送信に使用されない、定義済みの上りリンク通信リソースのサブセットとして確保し、確保したＤ２Ｄ通信用リソース２０４を、カバレッジ内Ｄ２Ｄ通信リソース２０６とカバレッジ外Ｄ２Ｄ通信リソース２０８とに区分する。基地局は、Ｄ２Ｄ通信を行う複数のＤ２Ｄユーザ機器からなるグループを特定し、Ｄ２Ｄユーザ機器がカバレッジ内に位置するか、又は、カバレッジ外に位置するかに応じて、カバレッジ内Ｄ２Ｄ通信リソース２０６、又は、カバレッジ外Ｄ２Ｄ通信リソース２０８のいずれかのサブセットを割り当て、割り当てたＤ２Ｄ通信リソースは割り当て済みＤ２Ｄ通信リソース２１０として識別する。割り当ては優先順位に従って行う。【選択図】図２
2018142999.tif 000002
【特許請求の範囲】
【請求項１】
複数のＤ２Ｄユーザ機器（ＵＥ）装置を含む第１の端末間（Ｄ２Ｄ）グループを特定する工程と、
他の複数のＤ２Ｄ  ＵＥ装置を含む第２のＤ２Ｄグループを特定する工程と、
第１のセットのＤ２Ｄ通信リソースを前記第１のＤ２Ｄグループに割り当て、第２のセットのＤ２Ｄ通信リソースを前記第２のＤ２Ｄグループに割り当てる工程であって、前記第１のセットのＤ２Ｄ通信リソースは、前記第２のセットのＤ２Ｄ通信リソースとは異なり、前記第１のセットのＤ２Ｄ通信リソース及び前記第２のセットのＤ２Ｄ通信リソースは、予備のＤ２Ｄ通信リソースのサブセットであり、前記予備のＤ２Ｄ通信リソースは、前記Ｄ２Ｄ  ＵＥ装置と基地局との間の上りリンク通信用の通信仕様により定義された、定義済みの上りリンク通信リソースのサブセットであり、前記予備のＤ２Ｄ通信リソースは、前記基地局への上りリンク送信に使用されない、工程と、を含む、方法。
【請求項２】
前記第１のＤ２ＤグループのＤ２Ｄ  ＵＥ装置間のＤ２Ｄ通信に関する第１の優先順位を判定する工程と、
前記第２のＤ２ＤグループのＤ２Ｄ  ＵＥ装置間のＤ２Ｄ通信に関する第２の優先順位を判定する工程と、
前記第１の優先順位及び前記第２の優先順位に基づいて、前記第１のセットのＤ２Ｄ通信リソースを前記第１のＤ２Ｄグループに、前記第２のセットのＤ２Ｄ通信リソースを前記第２のＤ２Ｄグループに割り当てる工程と、を更に含む、請求項１に記載の方法。
【請求項３】
前記第１の優先順位を前記第１のＤ２Ｄグループの前記優先順位として特定し、前記第２の優先順位を前記第２のＤ２Ｄグループの前記優先順位として特定する、優先度情報をネットワークから受信する工程を更に含む、請求項２に記載の方法。
【請求項４】
前記優先度情報は、前記第１の優先順位を前記第１のＤ２Ｄグループの第１のグループＩＤに関連付け、前記第２の優先順位を前記第２のＤ２Ｄグループの第２のグループＩＤに関連付ける、請求項３に記載の方法。
【請求項５】
中継ＵＥ装置から、前記第１のＤ２Ｄグループの前記優先順位として前記第１の優先順位を特定する優先度情報を受信する工程を更に含む、請求項２に記載の方法。
【請求項６】
前記優先度情報は、前記第１の優先順位を前記第１のＤ２ＤグループのグループＩＤに関連付ける、請求項５に記載の方法。
【請求項７】
前記第１のセットのＤ２Ｄ通信リソースの第１の選択された通信リソースは、前記第１のＤ２Ｄグループの１つ又は２つ以上のＤ２Ｄ  ＵＥ装置により判定された時点におけるＤ２Ｄ送信のために、前記第１のグループの前記１つ又は２つ以上のＤ２Ｄ  ＵＥ装置により選択され、前記第２のセットのＤ２Ｄ通信リソースの第２の選択された通信リソースは、前記第２のグループの１つ又は２つ以上のＤ２Ｄ  ＵＥ装置により判定された時点におけるＤ２Ｄ送信のために、前記第２のグループの前記１つ又は２つ以上のＤ２Ｄ  ＵＥ装置により選択される、請求項１に記載の方法。
【請求項８】
前記選択された通信リソースは、どのＤ２Ｄ  ＵＥ装置も前記選択された通信リソースを使用していないと判定された場合のみ、選択された通信リソースを使用して選択される、請求項７に記載の方法。
【請求項９】
前記予備のＤ２Ｄ通信リソースは、予備のカバレッジ内（ＩｎＣ）Ｄ２Ｄ通信リソースと、予備のカバレッジ外（ＯｏＣ）Ｄ２Ｄ通信リソースと、を含み、前記ＩｎＣ  Ｄ２Ｄ通信リソースは、前記第１のセットのＤ２Ｄ通信リソースと、前記第２のセットのＤ２Ｄ通信リソースと、を含み、前記予備のＩｎＣ  Ｄ２Ｄ通信リソースは、前記基地局のサービスエリア内にあるＩｎＣ  Ｄ２Ｄ  ＵＥ装置によるＤ２Ｄ送信のために確保され、前記予備のＯｏＣ  Ｄ２Ｄ通信リソースは、前記サービスエリア外にあるＯｏＣ  Ｄ２Ｄ  ＵＥ装置によるＤ２Ｄ送信のために確保される、請求項１に記載の方法。
【請求項１０】
前記第１のＤ２Ｄグループは、前記サービスエリア内に位置するＩｎＣ  Ｄ２Ｄ  ＵＥ装置と、前記サービスエリア外に位置するＯｏＣ  Ｄ２Ｄ  ＵＥ装置と、を含み、前記ＩｎＣ  Ｄ２Ｄ  ＵＥ装置は、前記第１のセットのＤ２Ｄ通信リソース内の選択されたＤ２Ｄ通信リソースを使用して、Ｄ２Ｄ信号を送信し、前記ＯｏＣ  Ｄ２Ｄ  ＵＥ装置は、前記予備のＯｏＣ  Ｄ２Ｄ通信リソースから選択された、選択されたＤ２Ｄ通信リソースだけを使用して、Ｄ２Ｄ信号を送信する、請求項９に記載の方法。
【請求項１１】
前記サービスエリア内に通信リソース割り当て情報をブロードキャストする工程であって、前記通信リソース割り当て情報は、前記第１のセットのＤ２Ｄ通信リソースが前記第１のＤ２Ｄグループに割り当てられ、前記第２のセットのＤ２Ｄ通信リソースが前記第２のＤ２Ｄグループに割り当てられることを示す、工程を更に含む、請求項１に記載の方法。
【請求項１２】
通信リソース割り当て情報を、個別シグナリングを介して、前記第１のＤ２Ｄグループの各Ｄ２Ｄ  ＵＥ装置に対して送信する工程であって、前記通信リソース割り当て情報は、前記第１のセットのＤ２Ｄ通信リソースが前記第１のＤ２Ｄグループに割り当てられることを示す、工程を更に含む、請求項１に記載の方法。
【請求項１３】
第１の通信リソース割り当て情報を前記第１のＤ２Ｄグループの少なくとも１つのＤ２Ｄ  ＵＥ装置に送信し、第２の通信リソース割り当て情報を前記第２のＤ２Ｄグループの少なくとも１つのＤ２Ｄ  ＵＥ装置に送信する工程であって、前記第１の通信リソース割り当て情報は、前記第１のセットのＤ２Ｄ通信リソースが前記第１のＤ２Ｄグループに割り当てられることを示し、前記第２の通信リソース割り当て情報は、前記第２のセットのＤ２Ｄ通信リソースが前記第２のＤ２Ｄグループに割り当てられることを示す、工程を更に含む、請求項１に記載の方法。
【請求項１４】
サービスエリア内に無線サービスを提供する基地局と、
複数のＤ２Ｄユーザ機器（ＵＥ）装置を含む第１の端末間（Ｄ２Ｄ）グループと、
他の複数のＤ２Ｄ  ＵＥ装置を含む第２のＤ２Ｄグループと、を備え、
前記基地局は、第１のセットのＤ２Ｄ通信リソースを前記第１のＤ２Ｄグループに割り当て、第２のセットのＤ２Ｄ通信リソースを前記第２のＤ２Ｄグループに割り当てるように構成され、前記第１のセットのＤ２Ｄ通信リソースは、前記第２のセットのＤ２Ｄ通信リソースとは異なり、前記第１のセットのＤ２Ｄ通信リソース及び前記第２のセットのＤ２Ｄ通信リソースは、予備のＤ２Ｄ通信リソースのサブセットであり、前記予備のＤ２Ｄ通信リソースは、前記Ｄ２Ｄ  ＵＥ装置と基地局との間の上りリンク通信用の通信仕様により定義された、定義済みの上りリンク通信リソースのサブセットであり、前記予備のＤ２Ｄ通信リソースは、前記基地局への上りリンク伝送には使用されない、セルラ通信シス
テム。
【請求項１５】
前記基地局は、
前記第１のＤ２ＤグループのＤ２Ｄ  ＵＥ装置間のＤ２Ｄ通信に関する第１の優先順位を判定し、
前記第２のＤ２ＤグループのＤ２Ｄ  ＵＥ装置間のＤ２Ｄ通信に関する第２の優先順位を判定し、
前記第１の優先順位及び前記第２の優先順位に基づいて、前記第１のセットのＤ２Ｄ通信リソースを前記第１のＤ２Ｄグループに、前記第２のセットのＤ２Ｄ通信リソースを前記第２のＤ２Ｄグループに、割り当てるように更に構成されている、請求項１４に記載の通信システム。
【請求項１６】
前記基地局は、前記第１の優先順位を、前記第１のＤ２Ｄグループの前記優先順位として特定し、前記第２の優先順位を、前記第２のＤ２Ｄグループの前記優先順位として特定する、優先度情報をネットワークから受信するように更に構成されている、請求項１５に記載の通信システム。
【請求項１７】
前記優先度情報は、前記第１の優先順位を前記第１のＤ２Ｄグループの第１のグループＩＤに関連付け、前記第２の優先順位を前記第２のＤ２Ｄグループの第２のグループＩＤに関連付ける、請求項１６に記載の通信システム。
【請求項１８】
前記基地局は、中継ＵＥ装置から、前記第１の優先順位を、前記第１のＤ２Ｄグループの前記優先順位として特定する優先度情報を受信するように更に構成されている、請求項１５に記載の通信システム。
【請求項１９】
前記優先度情報は、前記第１の優先順位を前記第１のＤ２ＤグループのグループＩＤに関連付ける、請求項１８に記載の通信システム。
【請求項２０】
前記第１のセットのＤ２Ｄ通信リソースの第１の選択された通信リソースは、前記第１のＤ２Ｄグループの１つ又は２つ以上のＤ２Ｄ  ＵＥ装置により判定された時点におけるＤ２Ｄ送信のために、前記第１のグループの前記１つ又は２つ以上のＤ２Ｄ  ＵＥ装置により選択され、前記第２のセットのＤ２Ｄ通信リソースの第２の選択された通信リソースは、前記第２のグループの１つ又は２つ以上のＤ２Ｄ  ＵＥ装置により判定された時点におけるＤ２Ｄ送信のために、前記第２のグループの前記１つ又は２つ以上のＤ２Ｄ  ＵＥ装置により選択される、請求項１４に記載の通信システム。
【請求項２１】
どのＵＥ装置も前記選択された通信リソースを使用していないと判定された場合のみ、前記選択された通信リソースは、選択された通信リソースを使用して選択される、請求項２０に記載の通信システム。
【請求項２２】
前記予備のＤ２Ｄ通信リソースは、予備のカバレッジ内（ＩｎＣ）Ｄ２Ｄ通信リソースと、予備のカバレッジ外（ＯｏＣ）Ｄ２Ｄ通信リソースと、を含み、前記ＩｎＣ  Ｄ２Ｄ通信リソースは、前記第１のセットのＤ２Ｄ通信リソースと、前記第２のセットのＤ２Ｄ通信リソースと、を含み、前記予備のＩｎＣ  Ｄ２Ｄ通信リソースは、前記基地局のサービスエリア内にあるＩｎＣ  Ｄ２Ｄ  ＵＥ装置によるＤ２Ｄ送信のために確保され、前記予備のＯｏＣ  Ｄ２Ｄ通信リソースは、前記サービスエリア外にあるＯｏＣ  Ｄ２Ｄ  ＵＥ装置によるＤ２Ｄ送信のために確保される、請求項１４に記載の通信システム。
【請求項２３】
前記第１のＤ２Ｄグループは、前記サービスエリア内に位置するＩｎＣ  Ｄ２Ｄ  ＵＥ装置と、前記サービスエリア外に位置するＯｏＣ  Ｄ２Ｄ  ＵＥ装置と、を含み、前記Ｉ
ｎＣ  Ｄ２Ｄ  ＵＥ装置は、前記第１のセットのＤ２Ｄ通信リソース内の選択されたＤ２Ｄ通信リソースを使用して、Ｄ２Ｄ信号を送信し、前記ＯｏＣ  Ｄ２Ｄ  ＵＥ装置は、前記予備のＯｏＣ  Ｄ２Ｄ通信リソースから選択された、選択されたＤ２Ｄ通信リソースだけを使用して、Ｄ２Ｄ信号を送信する、請求項２２に記載の通信システム。
【請求項２４】
基地局は、
前記サービスエリア内に通信リソース割り当て情報をブロードキャストするように構成された送信部であって、前記通信リソース割り当て情報は、前記第１のセットのＤ２Ｄ通信リソースが前記第１のＤ２Ｄグループに割り当てられ、前記第２のセットのＤ２Ｄ通信リソースが前記第２のＤ２Ｄグループに割り当てられることを示す、送信部を備える、請求項１４に記載の通信システム。
【請求項２５】
通信リソース割り当て情報を、個別のシグナリングを介して、前記第１のＤ２Ｄグループの各Ｄ２Ｄ  ＵＥ装置に対して送信するように構成された送信部であって、前記通信リソース割り当て情報は、前記第１のセットのＤ２Ｄ通信リソースが前記第１のＤ２Ｄグループに割り当てられることを示す、送信部を更に備える、請求項１４に記載の通信システム。
【請求項２６】
前記基地局は、
第１の通信リソース割り当て情報を前記第１のＤ２Ｄグループの少なくとも１つのＤ２Ｄ  ＵＥ装置に送信するように構成され、第２の通信リソース割り当て情報を前記第２のＤ２Ｄグループの少なくとも１つのＤ２Ｄ  ＵＥ装置に送信する、送信部であって、前記第１の通信リソース割り当て情報は、前記第１のセットのＤ２Ｄ通信リソースが前記第１のＤ２Ｄグループに割り当てられることを示し、前記第２の通信リソース割り当て情報は、前記第２のセットのＤ２Ｄ通信リソースが前記第２のＤ２Ｄグループに割り当てられることを示す、送信部を備える、請求項１４に記載の通信システム。
【発明の詳細な説明】
【優先権の主張】
【０００１】
本出願は、本出願の譲受人に譲受され、その全体が参照により明示的に本明細書に援用されている、２０１３年１２月２０日出願の整理番号ＴＰＲＯ  ００２３４  ＵＳの「Ｄ２Ｄ通信のためのスケジューリング（Ｓｃｈｅｄｕｌｉｎｇ  ｆｏｒ  Ｄ２Ｄ  Ｃｏｍｍｕｎｉｃａｔｉｏｎｓ）」と題される仮特許出願第６１／９１９，２８４号の優先権を主張するものである。
【技術分野】
【０００２】
本発明は、概ね、無線通信に関し、より具体的には、端末間（Ｄ２Ｄ）通信リソースの管理に関する。
【背景技術】
【０００３】
多くの無線通信システムは、基地局（通信局、送受信機局、ｅＮｏｄｅＢ、ｅＮＢ）を使用して、無線通信ユーザ機器装置（ＵＥ装置）が、ＵＥ装置が位置する特定の地理的サービスエリアを提供する基地局と通信を行う地理的サービスエリアを提供する。基地局は、ネットワーク内で接続されるので、ＵＥ装置と他の装置との間の通信リンクを形成することができる。通信システムは、携帯型ＵＥ装置の多様なニーズに応えるため、様々なサイズを有する重複するサービスエリアを提供する基地局を備えてもよい。例えば、マクロセル通信局は、より大きいマクロセルサービスエリアを提供してもよく、小セル基地局により提供される１つ又は２つ以上の小セルサービスエリアをカバーしてもよい。
【０００４】
状況によっては、通信リンクは、互いに近接する無線通信ＵＥ装置間に形成される。これらの状態では、基地局を介して通信するより、２つの無線ＵＥ装置間に直接的な通信リンクがあることが好まれ得る。装置間のそのような直接的な通信は、端末間（Ｄ２Ｄ）通信又はピアツーピア（Ｐ２Ｐ）通信と称される場合が多い。Ｄ２Ｄ通信のために使用される通信リソース（例えば、時間周波数ブロック）は、典型的には、ＵＥ装置と基地局との間の通信のための通信システムにより使用される通信リソースのサブセットである。
【０００５】
カバレッジ内（ＩｎＣ）のＵＥ装置は、基地局のサービスエリア内にあり、基地局と通信可能であるＵＥ装置である。カバレッジ外（ＯｏＣ）のＵＥ装置は、任意の基地局のサービスエリア内に存在しないＵＥ装置である。互いにＤ２Ｄ通信に関与しているＤ２Ｄ  ＵＥ装置は、グループを形成する。従って、Ｄ２Ｄグループは、２つ以上のＤ２Ｄ  ＵＥ装置を含む。Ｄ２Ｄグループにより生じる５つの典型的なカバレッジシナリオが存在する。第１のカバレッジシナリオでは、Ｄ２ＤグループのＵＥ装置の全てが、単一の基地局のサービスエリア内に位置する。従って、第１のシナリオに関して、Ｄ２ＤグループのＤ２Ｄ  ＵＥ装置の全てが、単一のサービスエリア内のＩｎＣ  ＵＥ装置である。第２のカバレッジシナリオでは、Ｄ２ＤグループのどのＵＥ装置も任意の基地局の任意のサービスエリア内に位置しない。従って、第２のシナリオに関して、Ｄ２ＤグループのＤ２Ｄ  ＵＥ装置の全てが、ＯｏＣ  ＵＥ装置である。第３のカバレッジシナリオでは、Ｄ２ＤグループのＵＥ装置のうち少なくとも１つは、単一の基地局のサービスエリア内に位置し、グループの少なくとも１つのＤ２Ｄ  ＵＥ装置は、全てのサービスエリア外に存在する。従って、第３のシナリオに関して、Ｄ２ＤグループのＤ２Ｄ  ＵＥ装置のうち少なくとも１つは、単一のサービスエリア内のＩｎＣ  ＵＥ装置であり、少なくとも１つのＵＥ装置は、ＯｏＣ  ＵＥ装置である。第３のカバレッジシナリオは、パーシャルカバレッジシナリオと称される場合がある。第４のカバレッジシナリオでは、Ｄ２ＤグループのＵＥ装置のうち少なくとも１つは、第１の基地局の第１のサービスエリア内に位置し、グループの少なくとも１つのＤ２Ｄ  ＵＥ装置は、第２の基地局の第２のサービスエリア内に位置する。従って、第４のシナリオに関して、Ｄ２ＤグループのＤ２Ｄ  ＵＥ装置のうち少なくとも２つは、異なるサービスエリア内のＩｎＣ  ＵＥ装置である。第５のカバレッジシナリオでは、Ｄ２ＤグループのＵＥ装置のうち少なくとも１つは、第１の基地局の第１のサービスエリア内に位置し、グループの少なくとも１つのＤ２Ｄ  ＵＥ装置は、第２の基地局の第２のサービスエリア内に位置し、Ｄ２Ｄグループの少なくとも１つのＵＥ装置は、ＯｏＣ  ＵＥ装置である。従って、第５のシナリオに関して、Ｄ２ＤグループのＤ２Ｄ  ＵＥ装置のうち少なくとも２つは、異なるサービスエリア内のＩｎＣ  ＵＥ装置であり、グループの少なくとも１つのＤ２Ｄ  ＵＥ装置は、ＯｏＣ  ＵＥ装置である。他のカバレッジシナリオも可能である。グループのＵＥ装置は、移動型であるので、Ｄ２Ｄグループのカバレッジシナリオが変わる状態がある。例えば、Ｄ２Ｄグループの１つだけのＵＥ装置がカバレッジ内にあり、これがカバレッジ外に移動する場合、カバレッジシナリオは、パーシャルカバレッジシナリオからカバレッジ外シナリオへ変化している。
【発明の概要】
【０００６】
基地局は、端末間（Ｄ２Ｄ）通信リソースの第１のセットを第１のＤ２Ｄグループに割り当て、第２のセットのＤ２Ｄ通信リソースを第２のＤ２Ｄグループに割り当てる。第１のセットのＤ２Ｄ通信リソースは、第２のセットのＤ２Ｄ通信リソースとは異なる。第１のセットのＤ２Ｄ通信リソース及び第２のセットのＤ２Ｄ通信リソースは、Ｄ２Ｄ  ＵＥ装置と基地局との間の上りリンク通信用の通信仕様により定義された、定義済みの上りリンク通信リソースのサブセットである、予備のＤ２Ｄ通信リソースのサブセットであり、予備のＤ２Ｄ通信リソースは、基地局への上りリンク伝送には使用されない。
【図面の簡単な説明】
【０００７】
【図１】図１は、マクロセル通信リソースが端末間（Ｄ２Ｄ）通信のために使用される通信システムのブロック図である。
【０００８】
【図２】図２は、マクロセル通信リソースとＤ２Ｄ通信リソースとのブロック図である。
【０００９】
【図３】図３は、ＯｏＣ優先度セット（ｐｒｉｏｒｉｔｙ  ｓｅｔ）を有する予備のＯｏＣ  Ｄ２Ｄリソースのブロック図である。
【００１０】
【図４】図４は、セルラシステムにおける端末間（Ｄ２Ｄ）通信リソースを管理する方法のフローチャートである。
【発明を実施するための形態】
【００１１】
通信仕様は、基地局（通信局、ｅＮＢなど）と無線通信ユーザ機器（ＵＥ）装置との間の通信用のマクロセル通信リソースを定義する。マクロセル通信リソースは、定義済みの下りリンク通信リソースと、定義済みの上りリンク通信リソースと、を含み、両リソースは、通信規格により定義される。下りリンク通信用に割り当てられた（スケジューリングされた）定義済みの下りリンク通信リソースから選択された下りリンク通信リソースは、スケジューリング済みの下りリンク通信リソースと称される。上りリンク通信用に割り当てられた（スケジューリングされた）定義済みの上りリンク通信リソースから選択された上りリンク通信リソースは、スケジューリング済みの上りリンク通信リソースと称す。本発明の実施形態に従って、いくつかのマクロセル通信リソースが端末間（Ｄ２Ｄ）通信のために確保される。これらの予備のリソースは、予備のＤ２Ｄ通信リソースと称される。定義済みの下りリンク通信リソース及び／又は定義済みの上りリンク通信リソースは、Ｄ２Ｄ通信に使用可能であり、定義済みの上りリンクリソースだけが、本明細書における例では、Ｄ２Ｄ通信に使用される。予備のＤ２Ｄ通信リソースの一部は、カバレッジ外（ＯｏＣ）Ｄ２Ｄ通信用に確保され、別の部分は、カバレッジ内（ＩｎＣ）Ｄ２Ｄ通信用に確保される。カバレッジ外（ＯｏＣ）Ｄ２Ｄ通信用の予備のＤ２Ｄ通信リソース部分は、本明細書では、ＯｏＣ  Ｄ２Ｄ予備通信リソース、カバレッジ内（ＩｎＣ）Ｄ２Ｄ通信用の予備の部分は、本明細書では、ＩｎＣ  Ｄ２Ｄ予備通信リソースと称される。例として、ＯｏＣ  Ｄ２Ｄ通信用に確保されない全ての予備のＤ２Ｄ通信リソースは、ＩｎＣ  Ｄ２Ｄ通信用に確保される。以下で更に詳細に論じるように、様々なセットのＩｎＣ  Ｄ２Ｄ予備通信リソースが様々なＤ２Ｄグループに割り当てられる。リソースの割り当てを示す通信リソース割り当て情報は、状況によっては、基地局のサービスエリア内の全てのＤ２Ｄ  ＵＥ装置へブロードキャストされる。他の状況では、通信リソース割り当て情報は、Ｄ２ＤグループのＤ２Ｄ  ＵＥ装置のうち少なくとも１つに送信される。いくつかの例に関して、ＩｎＣ  Ｄ２Ｄ通信リソースは、グループの優先順位に基づいて、Ｄ２Ｄグループに割り当てられる。Ｄ２Ｄグループの優先順位は、ネットワークから取得されたり、かつ／又は１つ又は２つ以上のＤ２Ｄ  ＵＥ装置により基地局に中継されたりする。状況によっては、Ｄ２Ｄグループは、少なくとも１つのＩｎＣ  Ｄ２Ｄ  ＵＥ装置及び少なくとも１つのＯｏＣ  Ｄ２Ｄ  ＵＥ装置を含むパーシャルカバレッジシナリオであってもよい。そのようなシナリオでは、（複数の）ＯｏＣ  Ｄ２Ｄ  ＵＥ装置は、予備のＯｏＣ  Ｄ２Ｄ通信リソースから選択された選択ＯｏＣ  Ｄ２Ｄ通信リソースだけを使用してＤ２Ｄ信号を送信する。ＩｎＣ  Ｄ２Ｄ  ＵＥ装置は、ＩｎＣ  Ｄ２Ｄ通信リソースの割り当てられたセットから選択された選択ＩｎＣ  Ｄ２Ｄ通信リソースを使用して送信する。いくつかの例外的なケースでは、ＩｎＣ  Ｄ２Ｄ  ＵＥ装置は、ＯｏＣ通信リソースを使用してもよい。Ｄ２Ｄ通信リソースを確保する１つの利点は、Ｄ２Ｄ通信の受信に関心があるＵＥ装置が信号をより効率的��監視できることである。
【００１２】
図１は、マクロセル通信リソースが端末間（Ｄ２Ｄ）通信のために使用される通信システム１００のブロック図である。基地局１０２は、「セル」と称される場合がある地理的サービスエリア１１０内の無線通信ＵＥ装置１０３〜１０９に無線通信サービスを提供する。複数の基地局は、典型的には、バックホールを介して相互に接続されて、複数のサービスエリアを提供して、広域をカバーしている。通信システム１００を参照して説明されるブロックの多様な機能及び動作は、任意の数の装置、回路、又は要素において実装されてもよい。機能ブロックのうち２つ以上が１つの装置に統合されてもよく、任意の１つの装置において実行されるように記載される機能は、複数の装置に亘って実装されてもよい。例えば、制御部１１２の機能のうち少なくとも一部は、基地局１０２により実行されてもよく、その逆でもよい。セルラ通信システムは、典型的には、通信規格又は仕様に従う必要がある。第３世代パートナシッププロジェクト・ロング・ターム・エボリューション（３ＧＰＰ  ＬＴＥ）通信仕様は、下りリンクに関する直交周波数分割多重方式（ＯＦＤＭ）及び上りリンクに関するシングルキャリア周波数分割多元接続方式（ＳＣ−ＦＤＭＡ）を使用して、基地局（ｅＮｏｄｅＢ）がサービスを無線通信装置（ユーザ機器（ＵＥ）装置）に提供するシステムのための仕様である。本明細書に記載される技術は、他のタイプの通信システムに適用可能ではあるが、本明細書で検討される例示的なシステムは、３ＧＰＰ  ＬＴＥ通信仕様に従って動作する。
【００１３】
基地局１０２は、ｅＮｏｄｅＢ又はｅＮＢと称される場合がある固定型の送受信機局であり、状況によっては、制御部を備えてもよい。基地局１０２は、有線通信、光通信、及び／又は無線通信チャネルの任意の組み合わせを含んでもよいバックホールを介して、セルラネットワーク１１３内の制御部１１２に接続されている。本明細書における例として、制御部１１２は、Ｍｏｂｉｌｉｔｙ  Ｍａｎａｇｅｍｅｎｔ  Ｅｎｔｉｔｙ（ＭＭＥ）及びＰａｃｋｅｔ  Ｇａｔｅｗａｙ（Ｐ−ＧＷ）の機能性を備える。よって、制御部１１２は、スケジューラ１１４を備える。本例では、スケジューラ１１４は、ＵＥ装置１０３〜１０９間、並びに基地局１０２とＵＥ装置１０３〜１０９との間の通信用の時間−周波数リソースを割り当てる。地理的サービスエリア１１０外の無線ＵＥ通信装置１１６〜１１８は、装置１１６〜１１８がサービスエリア１１０内の場合、基地局１０２から無線サービスを受信することができる。しかしながら、装置１１６〜１１８は、基地局１０２の範囲外であるので、サービスエリア１１０外にある場合、装置１１６〜１１８に対して通信リソースを動的に割り当てることができず、又はスケジューリングすることができない。
【００１４】
無線（ＵＥ）通信装置１０３〜１０９、１１６〜１１８（一括して、ＵＥ装置）は、モバイル装置、無線装置、無線通信装置、及びモバイル無線装置、ＵＥ、ＵＥ装置、並びにそれ以外の名称で称されてもよい。ＵＥ装置は、基地局と通信するための、かつ端末間構成における他のＵＥ装置と通信するための、電子部品及びコードを備える。ＵＥ装置として、携帯電話、パーソナルデジタルアシスタント（ＰＤＡ）、無線モデムカード、無線モデム、無線通信用電子部品を有するテレビ、並びにラップトップ及びデスクトップ型のコンピュータなどの装置、並びに他の装置が挙げられる。従って、無線通信電子部品を電子装置と組み合わせることにより、ＵＥ装置を形成することができる。例えば、ＵＥ装置は、電化製品、コンピュータ、テレビ、又は他の装置に接続された無線モデムを備えてもよい。
【００１５】
上で説明したように、いくつかの状態では、２つ以上のＵＥ装置は、基地局を通した通信を介さず、互いに通信してもよい。そのような端末間（Ｄ２Ｄ）通信は、基地局のサービスエリア内又はサービスエリア外のＵＥ装置間で生じてもよい。本明細書で説明される例として、カバレッジ内（ＩｎＣ）Ｄ２Ｄ  ＵＥ装置１０４〜１０９は、サービスエリア１１０内にあり、Ｄ２Ｄ通信を使用して、同一のＤ２Ｄグループ内の他のＤ２Ｄ  ＵＥ装置と通信する。カバレッジ外（ＯｏＣ）Ｄ２Ｄ  ＵＥ装置１１６〜１１８は、サービスエリア１１０外にあり、Ｄ２Ｄ通信を使用して、互いに通信する。
【００１６】
図１の例として、Ｄ２Ｄ  ＵＥ装置は、４つのＤ２Ｄグループ１２１、１２２、１２３、１２４の一部である。第１のＤ２Ｄグループは、３つのＤ２Ｄ  ＵＥ装置１０４、１０５、１０６を含み、他のＤ２Ｄグループ１２２、１２３、１２４は、２つのＤ２Ｄ  ＵＥ装置を含むが、Ｄ２Ｄグループは、２つ以上の任意の数のＤ２Ｄ  ＵＥ装置を含むことができる。従って、Ｄ２Ｄグループは、Ｄ２Ｄ通信リソースを使用して、互いに通信する少なくとも２つのＤ２Ｄ  ＵＥ装置を含む。Ｄ２Ｄグループは、カバレッジ内（ＩｎＣ）のシナリオ、パーシャルカバレッジシナリオ、又はカバレッジ外（ＯｏＣ）のシナリオ内に存在してもよい。図１の第１のＤ２Ｄグループ１２１及び第２のＤ２Ｄグループ１２２は、ＩｎＣシナリオ内に存在する。Ｄ２Ｄグループ１２３の少なくとも１つのＤ２Ｄ  ＵＥ装置１０９がサービスエリア１１０内であり、Ｄ２Ｄグループ１２３の少なくとも１つのＤ２Ｄ  ＵＥ装置１１７がサービスエリア１１０外であるので、第３のＤ２Ｄグループ１２３は、パーシャルカバレッジシナリオ内に存在する。第４のＤ２Ｄグループ１２４は、ＯｏＣシナリオ内に存在する。
【００１７】
基地局１０２は、サービスエリア１１０内のＵＥ装置１０３〜１０９と無線信号を送受信することができる無線送受信部（送信部及び受信部）を備える。基地局からのかつＵＥ装置１０３〜１０９からの送信は、送信のシグナリング、プロトコル、及びパラメータを定義する通信仕様により定められる。通信仕様は、通信用の厳格な規則を提供することができ、また、具体的な実施は異なるが通信仕様には従っている一般的な要件を提供することができる。以下の検討は、３ＧＰＰロング・ターム・エボリューション（ＬＴＥ）通信仕様に関するが、状況によっては、他の通信仕様が使用されてもよい。通信仕様は、少なくとも、上りリンク及び下りリンク伝送用のデータチャネル及び制御チャネルを定義し、基地局からＵＥ装置への物理下りリンク制御チャネルに対する少なくとも一部のタイミング及び周波数パラメータを特定する。
【００１８】
マクロセル通信リソースの大半部分は、下りリンク信号及び上りリンク信号を送信するために使用される。基地局１０２は、下りリンク通信用に確保され、通信仕様により定義された、定義済みの下りリンク通信リソースのスケジューリングされた下りリンク通信リソースを使用して、下りリンク信号をＵＥ装置１０３〜１０９に送信する。ＵＥ装置は、上りリンク通信用に確保され、通信仕様により定義された、定義済みの上りリンク通信リソースのスケジューリングされた上りリンク通信リソースを使用して、上りリンク信号を基地局１０２に送信する。マクロセル通信リソースは、時間で分割された周波数帯を含み、各周波数帯及び時間の区間は、スケジューラ１１４により識別され、基地局１０２からＵＥ装置１０３〜１０９に送られる制御信号に記述される。従って、通信仕様又は他のシステムの規則は、下りリンク用の適用可能な通信リソース及び上りリンク用の適用可能な通信リソースを定義する。スケジューラ１１４は、異なる時間−周波数リソースを異なる装置に割り当てて、干渉を最小化しながら、リソースを効率的に利用する。従って、あるＵＥ装置と送受信される信号のために使用されるスケジューリング済みのマクロセル通信リソースは、他のＵＥ装置と送受信される他の信号のために使用されるスケジューリング済みのマクロセル通信リソースと異なる。従って、本明細書で参照されるように、定義済みのマクロセル通信リソースは、仕様及び／又は通信システムの規則により通信のために確保される通信リソースである。しかしながら、特定の信号に対するマクロセル送信のためのスケジューリング済みのリソースは、予備のマクロセル通信リソースのサブセットであり、典型的には、運用中、動的に変更される。
【００１９】
従来のシステムでは、スケジューラは、基地局とＵＥ装置との間の通信のために、時間−周波数リソースを割り当てる。しかしながら、本明細書で検討される例では、スケジューラ１１４はまた、ＵＥ装置１０４〜１０９間の通信のために、時間−周波数リソース（Ｄ２Ｄ通信リソース）を割り当てて、端末間（Ｄ２Ｄ）通信リンクを確立及び維持する。本明細書の例として、スケジューラ及び／又は基地局１０２は、予備のＩｎＣ  Ｄ２Ｄ通信リソースのセットをＤ２Ｄグループ１２１〜１２４に割り当てる。ＩｎＣ  Ｄ２Ｄ  ＵＥ装置は、Ｄ２Ｄグループに割り当てられたＤ２Ｄ通信リソースのセットからリソースを選択する。それに対して、ＯｏＣＵＥ装置は、スケジューラによる動的なスケジューリング又は割り当てなしで予備のＯｏＣ  Ｄ２Ｄ通信リソースからリソースを選択する。
【００２０】
図１の例として、予備のＩｎＣ  Ｄ２Ｄ通信リソースの第１のセットのＤ２Ｄ通信リソースは、第１のＤ２Ｄグループ１２１に割り当てられ、予備のＩｎＣ  Ｄ２Ｄ通信リソースの第２のセットのＤ２Ｄ通信リソースは、第２のＤ２Ｄグループ１２２に割り当てられる。更に、予備のＩｎＣ  Ｄ２Ｄ通信リソースのＤ２Ｄ通信リソースの第３のセットは、第３のＤ２Ｄグループに割り当てられる。ＩｎＣ  Ｄ２Ｄ  ＵＥ装置は、Ｄ２Ｄ通信用のリソースの割り当てられたセットから通信リソースを選択する。例として、Ｄ２Ｄ  ＵＥ装置は、他の装置が送信用のリソースを使用しているかを判定するために、通信リソースを観察する（聴取する（ｌｉｓｔｅｎｉｎｇ））ことによりリソースを選択する。Ｄ２Ｄ  ＵＥ装置は、リソースが現在使用されていないと判定した場合にのみ、通信リソースの選択し使用する。ＯｏＣ  Ｄ２Ｄ  ＵＥ装置１１６、１１８は、同様に、予備のＯｏＣ  Ｄ２Ｄ通信リソースからリソースを選択してもよい。
【００２１】
本明細書の例として、Ｄ２Ｄリソースは、基地局１０２の基地局制御部１２６により選択される。基地局制御部１２６は、基地局の一部であってもよく、又は基地局１０２に接続されていてもよい。基地局制御部１２６は、ネットワーク１１３と通信し、Ｄ２Ｄグループに割り当てるための適切なリソースに関する判定を行い、かつ本明細書で検討される他の機能を実行する。状態によっては、基地局制御部１２６に実行されると記載された機能は、ネットワーク１１３又は基地局内の他の機器又はエンティティにより実行されてもよい。更に、基地局１０２により実行されると記載された機能は、状況によっては、基地局制御部１２６により実行される。
【００２２】
図２は、マクロセル通信リソースとＤ２Ｄ通信リソースとのブロック図である。図２の多様なブロックは、通信リソースのセットを表し、第２のブロック内の第１のブロックは、第２のブロックのサブセットである通信リソースを第１のブロックが含むことを示す。通信リソースは、周波数、時間、及び／又はコーディングで分割することができる。本明細書における例として、通信リソースは、時間−周波数通信リソースである。同形の単一ブロックであっても、ブロック内の全てのリソースが周波数及び時間において連続していることを必ず示すわけではない。従って、ブロックは、時間又は周波数において隣接していなくてもよいリソースの集まりを表す。
【００２３】
本明細書における例として、定義済みの上りリンク通信リソース２００の一部が、Ｄ２Ｄ通信のために確保されている。いくつかの定義済みの上りリンク通信リソース２００は、Ｄ２Ｄ発見信号送信のために確保され、Ｄ２Ｄ発見信号リソース２０２と称される。定義済みの上りリンク通信リソース２００の他の部分は、他のＤ２Ｄ送信のために確保され、予備のＤ２Ｄ通信リソース２０４と称される。予備のＤ２Ｄ通信リソース２０４は、予備のＩｎＣ  Ｄ２Ｄ通信リソース２０６及び予備のＯｏＣ  Ｄ２Ｄ通信リソース２０８を含む。
【００２４】
予備のＩｎＣ  Ｄ２Ｄ通信リソース２０６は、サービスエリア１１０内のＤ２Ｄ通信のために制御部１１２によってＤ２Ｄグループ１２１、１２２、１２３内のＩｎＣ  Ｄ２Ｄ  ＵＥ装置へスケジューリングされる（割り当てられる）通信リソースのプールを提供する。リソースがＤ２Ｄグループに割り当てられた場合、割り当て済みＤ２Ｄ通信リソースと称される。図２の例として、２つのセットのＩｎＣ  Ｄ２Ｄ通信リソースが割り当てられている。従って、例として、予備のＩｎＣ  Ｄ２Ｄ通信リソース２０６は、割り当て済みＤ２Ｄ通信リソース２１０の第１のセットと、割り当て済みＤ２Ｄリソース２１２の第２のセットと、を含む。割り当て済みＤ２Ｄ通信リソース２１０の第１のセットは、１つのＤ２Ｄグループ（例えば、第１のＤ２Ｄグループ１２１）に割り当てられ、割り当て済みＤ２Ｄ通信リソース２１２の第２のセットは、他のＤ２Ｄグループ（例えば、第２のＤ２Ｄグループ１２２）に割り当てられる。２つのグループが地理的に十分分離している場合、同一の（又は重複する）通信リソースが２つのＤ２Ｄグループに割り当てられてもよい。
【００２５】
下りリンク通信リソースがＤ２Ｄ通信用に割り当てられると、これらのリソースは、下りリンク通信には使用されない。例えば、通信リソースが時間−周波数通信リソースの場合、Ｄ２Ｄ通信リンクに割り当てられた時間区間及び周波数帯は、非Ｄ２Ｄ無線通信ＵＥ装置（１０４）へサービスを提供する基地局１０２によって使用されない。上りリンク通信リソースがＤ２Ｄ通信のために割り当てられる場合、リソースは、Ｄ２Ｄ無線通信ＵＥ装置のグループ間の通信が他のグループの任意の他のＤ２Ｄ無線通信ＵＥ装置間の通信を干渉しないように、割り当てられる。例えば、直交する又は略直交するリソースが他の近隣のＤ２Ｄ装置グループに対して使用されてもよい。互いに十分離れているＤ２Ｄ装置グループは、通信リソースを再利用でき、干渉を避けることが可能であり得る。例えば、各グループのＤ２Ｄ装置が相対的に互いに近接しているが、Ｄ２Ｄグループが相対的に互いに離れている場合、各Ｄ２Ｄグループ内で使用される送信電力レベルは、十分低くなり、同一のサービスエリア１１０内の通信リソースの再利用が可能となる。同一のカバレッジエリア１１０内のリソースの再利用の判定は、Ｄ２Ｄ通信信号の送信電力を制御する手順に依存する。例えば、ＵＥ装置が最大の電力で送信をしている場合、同一のカバレッジエリア内の他のグループがリソースを再利用する能力は、大幅に削減され、又は不能にされる。基地局１０２が各Ｄ２Ｄグループに対するＵＥ装置の少なくとも全体的な位置に関する情報を有している状態において、基地局は、Ｄ２Ｄグループが干渉を避けるように十分離間しているかどうかを判定する。Ｄ２Ｄ通信リソースが割り当てられると、続いて基地局は、最大許容送信電力を特定する。又は、基地局は、同一のグループ内のＵＥ装置が、Ｄ２Ｄグループ内の他のＤ２Ｄ  ＵＥ装置からの受信電力に基づいて、自身の送信電力を規制することを許可してもよい。
【００２６】
ほとんどの状態において、Ｄ２ＤグループのＩｎＣ  Ｄ２Ｄ  ＵＥは、Ｄ２Ｄ通信用のリソースを基地局１０２から要求することとなる。要求は、Ｄ２Ｄ通信リンクのニーズを特定する情報を含んでもよい。要求はまた、ＩｎＣ  Ｄ２Ｄ  ＵＥが属するＤ２ＤグループのグループＩＤを含んでもよい。グループＩＤは、Ｄ２Ｄグループのニーズを判定するために有益な追加情報を提供してもよい。例えば、グループＩＤは、Ｄ２Ｄ通信リソースの割り当てを少なくとも部分的に指示することができる、以下で記載される、優先順位と関連していてもよい。Ｄ２Ｄ接続を確立すべきであるという判定に応じて、制御部１１２は、（ＩｎＣ  Ｄ２Ｄ通信リソース２１０に割り当てられる）Ｄ２Ｄ時間−周波数リソースをＤ２Ｄグループ１２１に割り当てる。従って、本明細書における実施形態に従って、予備のＩｎＣ  Ｄ２Ｄ通信リソース２０６の一部は、２つ以上の無線通信ＵＥ装置間の端末間（Ｄ２Ｄ）通信用に、適宜、割り当てられる。
【００２７】
状態によっては、Ｄ２Ｄグループに対するＤ２Ｄリソースの割り当ては、グループのＤ２Ｄ通信の優先順位に基づいている。優先順位は、通信の相対的な重要性又は嗜好性を確立する。例えば、高い優先順位は、公共の安全のためのＤ２Ｄ通信を確立するＤ２Ｄグループと関連付けられてもよく、商業活動に関連するＤ２Ｄグループ内のＤ２Ｄ通信は、低い優先順位と関連付けられてもよい。特定の実施に応じて任意の数の優先順位を用いることができる。優先度が高いグループに割り当てられた通信リソースは、優先が低いグループより多くのリソースを含んでもよい。
【００２８】
従って、例として、ＩｎＣ通信リソース２１０の第１のセットがＤ２Ｄグループ１２１の優先順位に基づいて第１のＤ２Ｄグループ１２１に割り当てられてもよい。ＩｎＣ通信リソース２１２の第２のセットがＤ２Ｄグループ１２２の優先順位に基づいて第２のＤ２Ｄグループ１２２に割り当てられてもよい。特定のＤ２Ｄグループの優先順位は、典型的には、ネットワーク１１３により確立される。状態によっては、スケジューラ１１４は、ネットワーク１１３からグループの優先順位を取得する。他の状態では、基地局１０２は、Ｄ２Ｄグループ内のＵＥ装置から優先順位を取得してもよく、優先順位をスケジューラ１１４に提供して、Ｄ２Ｄリソースの割り当てを容易にすることができる。
【００２９】
多数の手法のいずれかを使用して、ＩｎＣ  Ｄ２Ｄ  ＵＥに対してスケジューリング済みのリソースを通知してもよい。１つの手法として、制御部１１２がＤ２Ｄリンク通信を確立すべきであると判定し、Ｄ２Ｄに対して割り当てるべきリソースを判定した後、通信リソース割り当て（ＣＲＡ）情報を、基地局１０２からＤ２ＤグループのＩｎＣ  Ｄ２Ｄ  ＵＥ装置１０６のうち少なくとも１つに対して送信することが挙げられる。ＩｎＣ  Ｄ２Ｄ通信リソース２０６を割り当てる他の例では、基地局１０２が、第１のＤ２Ｄグループ１２１により使用される、割り当てられたＩｎＣ  Ｄ２Ｄ通信リソース２１０のセットを特定するメッセージをブロードキャストし、第１のＤ２Ｄグループ１２２により使用される、割り当てられたＩｎＣ  Ｄ２Ｄ通信リソース２１１の第２のセットを特定するメッセージをブロードキャストする。ＣＲＡ情報をブロードキャストするための好適な手法の例として、Ｄ２Ｄ通信用の＿Ｓｙｓｔｅｍ  Ｉｎｆｏｒｍａｔｉｏｎ  Ｂｌｏｃｋ  Ｔｙｐｅ  １８及びＤ２Ｄ発見送信用のＳｙｓｔｅｍ  Ｉｎｆｏｒｍａｔｉｏｎ  Ｂｌｏｃｋ  Ｔｙｐｅ  １９＿においてＣＲＡ情報を送信することが挙げられる。ブロードキャスト情報は、割り当てられたリソースに関連するグループＩＤを含んでもよい。又は、ＣＲＡ情報はまた、専用シグナリング又はより具体的には、ｐｒｏｓｅＤｉｓｃＣｏｎｆｉｇ又はｐｒｏｓｅＣｏｍｍＣｏｎｆｉｇを含むＲＲＣＣｏｎｎｅｃｔｉｏｎＲｅｃｏｎｆｉｇｕｒａｔｉｏｎメッセージを使用して、ＩｎＣ  Ｄ２Ｄ  ＵＥに送られてもよい。専用のシグナリングにより、基地局１０２は、同一のリソースを、同一のグループに属する全てのＩｎＣ  Ｄ２Ｄ  ＵＥに割り当てるであろうと想定される。Ｄ２Ｄグループ内のＵＥ装置は、搬送波感知多重アクセス（Ｃａｒｒｉｅｒ  Ｓｅｎｓｅ  Ｍｕｌｔｉｐｌｅ  Ａｃｃｅｓｓ）（ＣＳＭＡ）手順に従って、伝送前聴取（ｌｉｓｔｅｎ−ｂｅｆｏｒｅ−ｔｒａｎｓｍｉｔ）手順を用いて、各特定のグループにより使用されることとなるスケジューリング済みのＩｎＣ  Ｄ２Ｄ通信リソース２１０を特定する。
【００３０】
ＩｎＣ  Ｄ２Ｄ  ＵＥ装置は、Ｄ２Ｄグループに割り当てられたＤ２Ｄ通信リソースの割り当てられたセットからリソースを選択する。従って、例として、Ｄ２Ｄ  ＵＥ装置１０４，１０５，１０６は、リソース（選択されたＤ２Ｄ通信リソース２１４）を、第１のグループ１２１に割り当てられた割り当て済みＤ２Ｄ通信リソース２１０の第１のセットから選択し、Ｄ２Ｄ  ＵＥ装置１０７、１０８は、リソース（選択されたＤ２Ｄ通信リソース２１６）を、第２のＤ２Ｄグループ１２２に割り当てられた割り当て済みＤ２Ｄ通信リソース２１１の第２のセットから選択する。選択されたＩｎＣ  Ｄ２Ｄリソース２１４は、割り当て済みＤ２Ｄ通信リソース２１０の割り当てられたセット内の複数のブロック内に分散していてもよい。言い換えると、選択された通信リソースは、必ずしも隣接したリソースの連続的なセットではない。更に、Ｄ２Ｄリソース２１０の割り当てられたセットは、予備のＩｎＣ  Ｄ２Ｄ通信リソース２０６内の複数のブロック内に分散していてもよい。
【００３１】
ＯｏＣ  Ｄ２Ｄ  ＵＥ装置１１６、１１８は、基地局１０２からのスケジューリング又は割り当てなしで、予備のＯｏＣ  Ｄ２Ｄ通信リソース２０８から通信リソースを選択する。ＯｏＣ  Ｄ２Ｄ  ＵＥ装置１１６、１１８は、リソース（選択されたＯｏＣ  Ｄ２Ｄ通信リソース２１２）を、予備のＯｏＣ  Ｄ２Ｄ予備通信リソース２０８から、他のＯｏＣ  Ｄ２Ｄグループ間の干渉を最小化する手法を使用して、自律的に選択する。リソースを選択する好適な例として、搬送波感知多重アクセス（ＣＳＭＡ）手法に従って、伝送前聴取手順を用いることが挙げられる。他の方法を使用して、予備のＯｏＣ  Ｄ２Ｄ通信リソースのうちどれが特定のＯｏＣ  Ｄ２Ｄグループに対して使用されることとなるかを判定してもよい。
【００３２】
状態によっては、基地局１０２は、ＯｏＣ  Ｄ２Ｄリソースのうち一部をＩｎＣ  Ｄ２Ｄ  ＵＥに割り当ててもよい。しかしながら、ＯｏＣ  Ｄ２Ｄ  ＵＥ装置１１６、１１８は、送信用の予備のＯｏＣ  Ｄ２Ｄ通信リソースからだけリソースを選択してもよい。基地局１０２がＤ２ＤリソースをＩｎＣ  Ｄ２Ｄ  ＵＥにスケジューリングしていないか、ないしは割り当てていない一部の状況において、ＩｎＣ  Ｄ２Ｄ  ＵＥは、ＯｏＣ  Ｄ２Ｄ  ＵＥ装置に使用されている、選択されたＯｏＣ  Ｄ２Ｄ通信リソースではない予備のＯｏＣ  Ｄ２Ｄ通信リソース２０８を使用する。場合によっては、ＩｎＣ  Ｄ２Ｄ  ＵＥは、基地局１０２に許可された場合、ＯｏＣ  Ｄ２Ｄ通信リソース２０８を使用してもよい。
【００３３】
選択されたＯｏＣ  Ｄ２Ｄリソースは、予備のＯｏＣ  Ｄ２Ｄ通信リソース２０８内の複数のブロック内に分散していてもよい。言い換えると、ＯｏＣ  Ｄ２Ｄ  ＵＥ装置の第１のグループにより選択された通信リソースの第１のセットは、ＯｏＣ  Ｄ２Ｄ  ＵＥ装置の第２のグループにより選択された通信リソースの第２のセットから時間及び周波数において分離していてもよい。更に、任意の特定のＤ２Ｄグループにより選択されたリソースはまた、予備のＯｏＣ  Ｄ２Ｄ通信リソース内で分離していてもよい。
【００３４】
第３のＤ２Ｄグループ１２３は、パーシャルカバレッジシナリオにおけるＤ２Ｄグループの一例である。例として、グループのＯｏＣ  Ｄ２Ｄ  ＵＥ１１７は、Ｄ２Ｄグループ１２３内のＤ２Ｄ信号を送信するための選択されたＯｏＣ  Ｄ２Ｄ通信リソース２１２のみを使用し、Ｄ２Ｄグループ１２３のＩｎＣ  Ｄ２Ｄ  ＵＥ装置１０９は、（図２には図示されない）割り当て済みＤ２Ｄ通信リソースのセットから選択された、選択Ｄ２Ｄ通信リソースを使用して、Ｄ２Ｄ信号を送信する。状態によっては、ＩｎＣ  Ｄ２Ｄ  ＵＥ装置１０９は、送信のためにＯｏＣリソースを使用する。
【００３５】
図３は、ＯｏＣ優先度セット３０２、３０４を有する予備のＯｏＣ  Ｄ２Ｄリソース３００のブロック図である。図３の例として、予備のＯｏＣ  Ｄ２Ｄ通信リソースは、優先度セット３０２、３０４に更に体系化される。従って、予備のＯｏＣ  Ｄ２Ｄリソース３００は、図２の予備のＯｏＣ  Ｄ２Ｄリソース２０８の例であり、ＯｏＣリソースは、２つの優先度セット３０２、３０４に体系化される。状況によっては、優先度セット３０２及び３０４は、基地局１０２により、準静的に割り当てられる。他の状態では、優先度セット３０３、３０４は、静的であり、事前に設定されている。追加の優先度セットが状況によって使用されてもよい。本明細書における例として、優先度は、グループＩＤにより特定される。グループＩＤは、ＰｒｏＳｅ機能又はＤ２Ｄアプリケーションレイヤなどの高いレイヤにより割り当てられる優先順位と関連する。基地局１０２は、Ｄ２Ｄ  ＵＥ装置がそのような情報を有している場合、そのような情報を、ＰｒｏＳｅ機能から、直接的に又はＵＥ装置を介して取得する。他の例では、ＯｏＣ  Ｄ２Ｄ  ＵＥ装置は、Ｄ２Ｄ通信優先順位が優先度セットに関連する優先順位以上の場合、リソースを優先度セットから選択してもよい。上記のように、優先順位は、典型的には、ネットワーク１１３により確立される。ＯｏＣＵＥ装置は、ネットワークへのアクセス権がないため、ＵＥ装置がカバレッジ内にいた最後に、Ｄ２Ｄ通信のタイプに対して確立された優先順位がＯｏＣ  Ｄ２Ｄ通信のために維持される。上記のように、優先順位は、準静的に確立されるため、結果的に、ＯｏＣＵＥ装置において維持される優先順位情報は、恐らく正確である。ＯｏＣＵＥ装置が優先順位を確立した可能性がある状態の一例は、一部のＵＥ装置が公共の安全の目的のＤ２Ｄリソースを使用し、他のＯｏＣＵＥ装置が、商用使用のためのＤ２Ｄ通信など他の目的のために、Ｄ２Ｄリソースを使用している場合、生じる。公共の安全のために使用されるＵＥ装置は、他のＵＥ装置より高い優先順位を割り当てられる。その結果、公共の安全の目的のためにＤ２Ｄ通信に関与していないＵＥ装置は、ＯｏＣ  Ｄ２Ｄ通信リソースの第２の優先度セットに制限される。ＯｏＣ  Ｄ２Ｄ通信リソースの第１の優先度セットは、公共の安全のＵＥ装置に利用可能である。状態によっては、ＯｏＣ  Ｄ２Ｄ通信リソースの第２の優先度セットはまた、優先度の高いＵＥ装置に利用可能であってもよい。
【００３６】
従って、ＯｏＣ  Ｄ２Ｄ  ＵＥ装置は、グループＩＤ及びＤ２Ｄグループに割り当てられた優先順位に基づいて、ＵＥ装置のために認証されたＤ２Ｄ通信リソースの優先度セットからリソースを選択する。従って、第１の優先度のＤ２Ｄ  ＵＥ装置は、Ｄ２Ｄ通信リソース３０２の第１の優先度セットからリソース（選択されたＤ２Ｄ通信リソース３０６）を選択し、第２のレベルの優先度を有するＤ２Ｄ  ＵＥ装置は、Ｄ２Ｄ通信リソース３０４の第２の優先度セットからリソース（選択されたＤ２Ｄ通信リソース３０８）を選択する。選択されたＤ２Ｄリソース３０６は、Ｄ２Ｄ通信リソース３０２の第１の優先度セット内の複数のブロック内に分散していてもよい。
【００３７】
図４は、セルラシステムにおける端末間（Ｄ２Ｄ）通信リソースを管理する方法のフローチャートである。
【００３８】
ステップ４０２では、第１のＤ２Ｄグループが特定される。第１のＤ２Ｄグループは、少なくとも２つのＤ２Ｄ  ＵＥ装置を含む。例として、基地局１０２は、ＵＥ装置からＤ２Ｄ通信リソースに対するリクエストを受信する。リクエストは、Ｄ２Ｄ通信リソースを使用して、互いに通信することとなるＵＥ装置を特定する。基地局及び／又は制御部は、Ｄ２Ｄ  ＵＥ装置を第１のＤ２Ｄグループに関連付ける。
【００３９】
ステップ４０４では、第２のＤ２Ｄグループが特定される。第２のＤ２Ｄグループは、少なくとも２つのＤ２Ｄ  ＵＥ装置を含む。
【００４０】
ステップ４０６では、第１のセットのＤ２Ｄ通信リソースは、第１のＤ２Ｄグループに割り当てられ、第２のセットのＤ２Ｄ通信リソースは、第２のＤ２Ｄグループに割り当てられる。第１のセットのＤ２Ｄ通信リソースは、第２のセットのＤ２Ｄ通信リソースとは異なる。上記のように、第１のセットのＤ２Ｄ通信リソース及び第２のセットのＤ２Ｄ通信リソースは、予備のＤ２Ｄ通信リソースのサブセットであり、このサブセットは、ＵＥ装置と基地局との間の上りリンク通信用の通信仕様により定義される定義済みの上りリンク通信リソースのサブセットである。予備のＤ２Ｄ通信リソースは、基地局への上りリンク伝送のために使用されない。
【００４１】
第１のＤ２ＤグループからのＵＥ装置は、第１のセットからリソースを選択し、第２のグループからのＵＥ装置は、第２のセットからリソースを選択する。上記のように、リソースを選択する好適な方法として、ＣＳＭＡなどの伝送後聴取（ｌｉｓｔｅｎ  ｔｈｅｎ  ｔｒａｎｓｍｉｔ）手法が挙げられる。従って、第１のグループの１つ又は２つ以上のＵＥ装置は、１つ又は２つ以上のＵＥ装置により判定された時点におけるＤ２Ｄ送信用の第１のセットのためのＤ２Ｄ通信リソースを選択する。ＵＥ装置は、どのＵＥ装置も選択された通信リソースを使用していないと判定された場合にのみ、選択された通信リソースを使用して、Ｄ２Ｄ信号を送信する。場合によっては、ＵＥ装置は、同一のグループに属する他のＵＥ装置から一切Ｄ２Ｄ信号を受信していない場合にのみ、Ｄ２Ｄ信号を送信する。第２のＤ２ＤグループのＵＥ装置は、同様の様式で第２のセットからリソースを選択する。
【００４２】
例として、基地局１０２の制御部１２６は、各グループのＤ２Ｄ通信の優先順位に基づいて、Ｄ２Ｄ通信リソースのセットをＤ２Ｄグループに割り当てる。例として、優先順位は、３ＧＰＰのＬＴＥ通信仕様により特定されるＰｒｏＳｅ機能により判定される。優先度は、典型的には、準静的に割り当てられるため、頻繁に変わらない。Ｄ２Ｄグループの優先順位は、他の手法を使用してもよいが、ＰＣ３インターフェース（ＩＰプロトコル）を使用して、典型的には、ＵＥ装置に伝達される。基地局の制御部１２６は、ＰｒｏＳｅ機能又はＵＥ装置のいずれか一方から情報を取得することにより、Ｄ２Ｄグループから優先順位を判定する。従って、ネットワーク１１３から直接受信又はＵＥ装置により中継された情報に基づいて、基地局１０２の制御部１２６は、第１のＤ２ＤグループのＵＥ装置間のＤ２Ｄ通信のための第１の優先順位を判定し、第２のＤ２ＤグループのＵＥ装置間のＤ２Ｄ通信のための第２の優先順位を判定する。その後、基地局１０２は、第１の優先順位及び第２の優先順位に基づいて、Ｄ２Ｄ通信リソースを割り当てる。通信リソースは、情報をブロードキャストすることにより、又は専用のシグナリングにより、ＵＥ装置に伝達される。Ｄ２Ｄ  ＵＥ装置がグループＩＤ情報を有している状態において、基地局１０２は、グループＩＤに割り当てられたＤ２Ｄ通信リソースを特定する情報だけをブロードキャストしてもよい。その後、ＵＥ  Ｄ２Ｄ装置は、どのＤ２Ｄ通信リソースが通信をしている最中のグループに割り当てるかを判定することができる。
【００４３】
上記のように、予備のＤ２Ｄ通信リソースは、予備のカバレッジ内（ＩｎＣ）Ｄ２Ｄ通信リソース及び予備のカバレッジ外（ＯｏＣ）Ｄ２Ｄ通信リソースを含む。ＩｎＣ  Ｄ２Ｄ通信リソースは、第１のセットのＤ２Ｄ通信リソース及び通信リソースの第２のセットを含む。予備のＩｎＣ  Ｄ２Ｄ通信リソースは、基地局のサービスエリア内のＩｎＣ  Ｄ２Ｄ  ＵＥ装置によるＤ２Ｄ送信のために確保され、予備のＯｏＣ  Ｄ２Ｄ通信リソースは、サービスエリア外のＯｏＣ  Ｄ２Ｄ  ＵＥ装置によるＤ２Ｄ送信のために確保される。
【００４４】
上記のように、パーシャルカバレッジシナリオは、Ｄ２Ｄグループが、サービスエリア内に位置する１つ又は２つ以上のＩｎＣ  Ｄ２Ｄ  ＵＥ装置と、サービスエリア外に位置する１つ又は２つ以上のＯｏＣ  Ｄ２Ｄ  ＵＥ装置と、を含む場合に生じ得る。このような状態では、ＩｎＣ  Ｄ２Ｄ  ＵＥ装置は、Ｄ２Ｄ通信リソースの割り当てられたセット内の選択されたＤ２Ｄ通信リソースを使用して、Ｄ２Ｄ信号を送信し、ＯｏＣ  Ｄ２Ｄ  ＵＥ装置は、予備のＯｏＣ  Ｄ２Ｄ通信リソースから選択された選択されたＤ２Ｄ通信リソースだけを使用して、Ｄ２Ｄ信号を送信する。
【００４５】
本発明の他の実施形態及び変更例が、これらの教示を参酌して、当業者に容易に創作されることとなるのは明らかである。上述の記載は、例示的であり、限定的なものではない。本発明は、上記の明細書及び添付の図面に基づく実施形態及び変更例の全てを含む、以下の請求の範囲によってのみ限定されることとなる。従って、本発明の範囲は、上記の説明を参照して判定されるのではなく、均等物の全範囲と共に、添付される請求の範囲を参照して判定されるべきである。
【図１】
2018142999.tif 000003
【図２】
2018142999.tif 000004
【図３】
2018142999.tif 000005
【図４】
2018142999.tif 000006
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
複数のＤ２Ｄユーザ機器（ＵＥ）装置を含む第１の端末間（Ｄ２Ｄ）グループを特定する工程と、
他の複数のＤ２Ｄ  ＵＥ装置を含む第２のＤ２Ｄグループを特定する工程と、
第１のセットのＤ２Ｄ通信リソースを前記第１のＤ２Ｄグループに割り当て、第２のセットのＤ２Ｄ通信リソースを前記第２のＤ２Ｄグループに割り当てる工程であって、前記第１のセットのＤ２Ｄ通信リソースは、前記第２のセットのＤ２Ｄ通信リソースとは異なり、前記第１のセットのＤ２Ｄ通信リソース及び前記第２のセットのＤ２Ｄ通信リソースは、予備のＤ２Ｄ通信リソースのサブセットであり、前記予備のＤ２Ｄ通信リソースは、前記Ｄ２Ｄ  ＵＥ装置と基地局との間の上りリンク通信用の通信仕様により定義された、定義済みの上りリンク通信リソースのサブセットであり、前記予備のＤ２Ｄ通信リソースは、前記基地局への上りリンク送信に使用されない、工程と、を含む、方法。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
セルラ通信システムのＵＥ装置であって、
それぞれ優先度と対応付けられた複数セットのＤ２Ｄ通信リソースを記憶する記憶部と、
前記ＵＥ装置を含むＤ２Ｄグループ内においてＤ２Ｄ通信を行う制御部と、を備え、
前記ＵＥ装置がカバレッジ外にある場合において、前記制御部は、
前記ＵＥ装置を含む前記Ｄ２Ｄグループの優先度を特定し、
前記複数セットのＤ２Ｄ通信リソースの中から、前記特定された優先度に対応するセットのＤ２Ｄ通信リソースを選択し、
前記選択されたセットのＤ２Ｄ通信リソースの中から、前記Ｄ２Ｄ通信に用いるＤ２Ｄ通信リソースを選択する、ＵＥ装置。
【請求項２】
セルラ通信システムのＵＥ装置において実行される方法であって、
それぞれ優先度と対応付けられた複数セットのＤ２Ｄ通信リソースを記憶するステップと、
前記ＵＥ装置がカバレッジ外にある場合において、
前記ＵＥ装置を含むＤ２Ｄグループの優先度を特定するステップと、
前記複数セットのＤ２Ｄ通信リソースの中から、前記特定された優先度に対応するセットのＤ２Ｄ通信リソースを選択するステップと、
前記選択されたセットのＤ２Ｄ通信リソースの中から、前記Ｄ２Ｄ通信に用いるＤ２Ｄ通信リソースを選択するステップと、
前記選択されたＤ２Ｄ通信リソースを用いて前記Ｄ２Ｄグループ内においてＤ２Ｄ通信を行うするステップと、を備える方法。